(57)【要約】【課題】簡易な構成であっても保温性を保つことができ、かつ植物の育成を促進可能な植木鉢を提供する。【解決手段】鉢本体１１と、鉢本体１１の少なくとも一部に設けられた中空部１１１と、中空部１１１を鉢本体１１の外部に開口させる開口部１１０と、開口部１１０に嵌合される蓋部１３と、中空部１１１と鉢本体１１の内部とを連通して設けられた流水孔１１５と、を有する植木鉢１である。【選択図】図１
0003142952.tif 000002
【実用新案登録請求の範囲】
【請求項１】
鉢本体と、
前記鉢本体の少なくとも一部に設けられた中空部と、
前記中空部を前記鉢本体の外部に開口させる開口部と、
前記開口部に嵌合される蓋部と、
前記中空部と前記鉢本体の内部とを連通して設けられた流水孔と、
を有する、植木鉢。
【請求項２】
前記鉢本体の側壁部および前記鉢本体の底部の略全域に亘って前記中空部を設けたことを特徴とする、請求項１に記載の植木鉢。
【請求項３】
前記中空部に充填材を充填したことを特徴とする、請求項１または２に記載の植木鉢。
【請求項４】
前記充填材は、水苔、腐葉土、木屑、バーミキュライト、ピートモス、綿花、大鋸屑、米糠もしくはスポンジまたはこれらの混合物である、請求項３に記載の植木鉢。
【請求項５】
前記鉢本体の上部に前記開口部を設けたことを特徴とする、請求項１〜４のいずれか１項に記載の植木鉢。
【請求項６】
前記鉢本体の底部に前記開口部を設けたことを特徴とする、請求項１〜５のいずれか１項に記載の植木鉢。
【請求項７】
前記中空部と前記鉢本体の外部とを連通して設けられた第２の流水孔をさらに有する、請求項１〜６のいずれか１項に記載の植木鉢。
【請求項８】
前記蓋部に前記第２の流水孔を設けたことを特徴とする、請求項７に記載の植木鉢。
【請求項９】
前記流水孔または前記第２の流水孔にフィルタを設けたことを特徴とする、請求項１〜８のいずれか１項に記載の植木鉢。
【請求項１０】
前記鉢本体または前記蓋部に着脱自在に嵌合される水受け皿をさらに有する、請求項１〜９のいずれか１項に記載の植木鉢。
【請求項１１】
前記水受け皿の内外部を連通して設けられた排水孔さらに有する、請求項１０に記載の植木鉢。
【請求項１２】
前記水受け皿の側壁部に前記排水孔を設けたことを特徴とする、請求項１１に記載の植木鉢。
【請求項１３】
前記排水孔に第２のフィルタをさらに設けたことを特徴とする、請求項１０または１１に記載の植木鉢。
【考案の詳細な説明】
【技術分野】
【０００１】
本考案は、植物の栽培に使用する植木鉢に関する。詳しくは、簡易な構成であっても保温性を保つことができ、かつ植物の育成を促進可能な植木鉢に関する。
【背景技術】
【０００２】
近年、一般家庭の庭先やベランダ等で、自らの手によって花卉や樹木を植え、花壇を設けて観賞し、あるいは、菜園を設けて蔬菜や果樹を生産し、主に自家用に消費する家庭園芸（ガーデニング）を楽しむ人々が増えている。また、それに伴って消費者のニーズも多様化し、育てやすいガーデニング用植物として改良されたものや、海外から輸入されたもの等多種多様な植物が上市されている。
【０００３】
一方、ベランダ等でガーデニングを行う場合には、植物を植えるための植木鉢やプランター等を用い、各植物の性質に合った素材や形状のものを選択する必要がある。従来の植木鉢としては、例えば図４に示す植木鉢４等が挙げられる。この植木鉢４は、鉢本体４１の底部に土壌内の余剰水を外部に排出させるための排水孔４１９を備えた鉢本体４１と、排水孔４１９から流出された余剰水を受けるための水受け皿４４とから構成されており、一般的に市場に数多く出回っている植木鉢の一例である。海外から輸入された植物は、日本の気候に適応できないものもあり、これを育成する場合には、その植物の本来の生育環境を再現する必要がある。特に、耐寒性が低い植物を育成する場合には、植木鉢等の内部温度が耐寒温度以下にならないように、例えば植木鉢等を室内に移したり、ヒーターを内蔵した植木鉢（例えば、特許文献１および２参照）を用いたりした凍結防止措置を取る必要がある。
【特許文献１】実開平６−１９４３０号公報
【特許文献２】特開平９−２５２６５３号公報
【考案の開示】
【考案が解決しようとする課題】
【０００４】
しかしながら、植木鉢等を室内に移すためには、これを置くためのスペースが必要であるが、マンション等の住宅環境下ではこのようなスペースを確保することは、非常に困難な場合が多い。
【０００５】
また、上記特許文献１および２に記載のヒーター付植木鉢は、構成が複雑であり、ヒーター等の設備費や電気料金等の維持費等の経済的負担を増加させてしまうだけでなく、これらが屋外に設置される際の漏電等の危険性を完全に排除することは困難である。
【０００６】
そこで、本考案は、簡易な構成であっても保温性を保つことができ、かつ植物の育成を促進可能な植木鉢を提供することを目的とする。
【課題を解決するための手段】
【０００７】
本考案の上記目的は、下記手段により達成される。
【０００８】
（１）すなわち、本考案は、鉢本体と、前記鉢本体の少なくとも一部に設けられた中空部と、前記中空部を前記鉢本体の外部に開口させる開口部と、前記開口部に嵌合される蓋部と、前記中空部と前記鉢本体の内部とを連通して設けられた流水孔と、を有する、植木鉢である。
【０００９】
（２）また、本考案は、前記鉢本体の側壁部および前記鉢本体の底部の略全域に亘って前記中空部を設けたことを特徴とする、（１）に記載の植木鉢である。
【００１０】
（３）また、本考案は、前記中空部に充填材を充填したことを特徴とする、（１）または（２）に記載の植木鉢である。
【００１１】
（４）本考案は、また、前記充填材は、水苔、腐葉土、木屑、バーミキュライト、ピートモス、綿花、大鋸屑、米糠もしくはスポンジまたはこれらの混合物である、（３）に記載の植木鉢である。
【００１２】
（５）また、本考案は、前記鉢本体の上部に前記開口部を設けたことを特徴とする、（１）〜（４）のいずれか１項に記載の植木鉢である。
【００１３】
（６）また、本考案は、前記鉢本体の底部に前記開口部を設けたことを特徴とする、（１）〜（５）のいずれか１項に記載の植木鉢である。
【００１４】
（７）また、本考案は、前記中空部と前記鉢本体の外部とを連通して設けられた第２の流水孔をさらに有する、（１）〜（６）のいずれか１項に記載の植木鉢である。
【００１５】
（８）また、本考案は、前記蓋部に前記第２の流水孔を設けたことを特徴とする、（７）に記載の植木鉢である。
【００１６】
（９）また、本考案は、前記流水孔または前記第２の流水孔にフィルタを設けたことを特徴とする、（１）〜（８）のいずれか１項に記載の植木鉢である。
【００１７】
（１０）また、本考案は、前記鉢本体または前記蓋部に着脱自在に嵌合される水受け皿をさらに有する、（１）〜（９）のいずれか１項に記載の植木鉢である。
【００１８】
（１１）また、本考案は、前記水受け皿の内外部を連通して設けられた排水孔さらに有する、（１０）に記載の植木鉢である。
【００１９】
（１２）また、本考案は、前記水受け皿の側壁部に前記排水孔を設けたことを特徴とする、（１１）に記載の植木鉢である。
【００２０】
（１３）さらに、本考案は、前記排水孔に第２のフィルタをさらに設けたことを特徴とする、（１０）または（１１）に記載の植木鉢である。
【考案の効果】
【００２１】
本考案によれば、充填材が断熱材の役割を果たすだけでなく、適切な充填材を選択することで鉢本体内を所望の温度に調節することができるので、鉢本体内を植物の育成条件に合った温度に保つことができる。したがって、例えば耐寒性が低い植物を育成する場合であっても、鉢本体内を植物の育成条件に合った温度に保つことができ、植木鉢を室内に移したとしても暖房設備を必要とせず、常温で植物を育成することができる。
【００２２】
また、上記のような簡易な構成であるので、ヒーター等の温度調節のための煩雑な処置、または設備投資をする必要はない。
【００２３】
本考案によれば、鉢本体内の土壌に充填材から水分が供給されるとともに、充填材には水受け皿内の貯留水から水分が供給されるので、一度の灌水で土壌中の水分を長時間適度な値に保つことができる。従って、灌水の頻度が少なくなり、肥料使用量の低減に役立つ。
【００２４】
本考案によれば、充填材として水苔等の多孔質材を用いることにより、適度な通気性を保つことができる。従って、土壌の固さを調節する等の熟練を要する作業を省くことができる。
【００２５】
さらに、鉢本体内の充填材の存在により、上記した水分量、温度及び通気の調整を行うことができる。従って、熟練を要することなく簡易な方法で、鉢本体内の保水性、保温性及び換気性をバランスよく保つことができる。
【考案を実施するための最良の形態】
【００２６】
以下、本考案の実施形態を添付図面に基づいて詳細に説明する。
【００２７】
図１は、本考案の実施形態にかかる植木鉢１の構成を模式的に示した縦断面図である。図１に示すように、本考案の植木鉢１は、植物を植えるための鉢本体１１と、植物を育成に必要な用土等を出し入れするための開口部１１０と、開口部１１０を閉塞して後述する充填材（図示せず。）等が外部に飛散するのを防ぐための蓋部１３と、鉢本体１１から排出される余剰水を一時的に貯水するための水受け皿１４とから構成されている。ただし、設置場所等を考慮して、植木鉢１は、水受け皿１４が省略されて、鉢本体１１と開口部１１０と蓋部１３とで構成されてもよい。
【００２８】
本考案にかかる鉢本体１１の横断面の形状は、略円形である。ただし、個人の嗜好や設置場所等の状況に応じて他の形状、例えば、略楕円形、略多角形、略星型、略ハート型等であってもよい。
【００２９】
鉢本体１１には、充填材を充填するための中空部１１１が、鉢本体１１の側壁部および底部の略全域に亘って設けられている。ただし、中空部１１１は、鉢本体１１の一部、例えば、側壁部や底部等のみに設けられてもよく、この場合、１箇所のみに設けられてもよいし、複数箇所に設けられてもよい。また、本考案にかかる中空部１１１に充填される充填材は、植木鉢１に保温機能、吸水機能、保水機能または通気機能を持たせることができるものである。したがって、充填材としては、上記機能を植木鉢１に持たせることができれば特に限定されず、例えば、水苔、腐葉土、木屑、バーミキュライト、ピートモス、綿花、大鋸屑、米糠もしくはスポンジまたはこれらの混合物等が挙げられ、これらの中では、水苔、バーミキュライト、ピートモス等が好適に利用される。ただし、上記以外の機能を植木鉢１に持たせてもよく、また、充填材以外の部材が充填されてもよい。
【００３０】
鉢本体１１には、中空部１１１と内部との間を水分や養分等が自由に行き来するための流水孔１１５が、中空部１１１と内部とを連通して設けられている。このような流水孔１１５を設けることで、土壌内から余剰水分を除去することができ、あるいは、中空部１１１内の水分を土壌内に移動させることにより、乾燥を食い止めることができる。ただし、流水孔１１５の位置や数は、中空部１１１と内部との間を水分等が自由に行き来することができれば特に限定されるものではなく、鉢本体１１の側壁部等に均等に設けられてもよいし、側壁部等の一部に密集して設けられてもよい。また、流水孔１１５の形状も、例えば、矩形以外にも、円形、楕円形等であってもよい。また、流水孔１１５には、充填材が外部に流出したり、外部から害虫等が侵入したりするのを防ぐことができるフィルタ（図示せず。）を設置することができる。また、フィルタの形状や大きさ等は、流水孔１１５の形状や大きさ等に合わせて適宜選択される。
【００３１】
本考案にかかる開口部１１０は、中空部１１１を鉢本体１１の外部に開口させるために、鉢本体１１の底部に設けられている。このような開口部１１０を設けることで、中空部１１１に充填材を充填しやすくなり、また、使用後に中空部１１１から充填材を取り出して洗浄しやすくなる。ただし、開口部１１０の位置や大きさは、中空部１１１を外部に開口させることができれば特に限定されるものではなく、底部の略全域に亘って設けられてもよく、あるいは、底部の一部に設けられてもよい。また、開口部１１０の数も、特に限定されるものではなく、用途に応じて複数設けられてもよい。
【００３２】
本考案にかかる蓋部１３は、開口部１１０に嵌合されてこれを閉塞させるためのものであり、これにより、鉢本体１１に着脱自在に取り付けられている。ただし、蓋部１３は、開口部１１０の閉塞を強固にするために、開口部１１０と螺合して取り付けてもよい。また、開口部１１０が複数設けられている場合には、開口部１１０の数に合わせて複数設けられてもよい。
【００３３】
蓋部１３には、排水孔１３２が、中空部１１１と外部とを連通して設けられている。この排水孔１３２は、中空部１１１の余剰水が一定量に達した場合に、鉢本体１１の外部に排出させるためのものである。ただし、排水孔１３２の位置や数は、中空部１１１の余剰水を外部に排出させることができれば特に限定されるものではなく、蓋部１３に均等に設けられてもよいし、密集して設けられてもよい。また、排水孔１３２の形状も、例えば、矩形以外にも、円形、楕円形等であってもよい。また、排水孔１３２には、流水孔１１５と同様にして、フィルタを設置することができる。この場合、フィルタの形状や大きさ等も適宜選択される。
【００３４】
本考案にかかる水受け皿１４は、鉢本体１１から排出される余剰水を、一次的に貯水するためのものである。このような水受け皿１４を設置することで、例えば、鉢本体１１を室内等に設置する際に、鉢本体１１から排出される余剰水で室内等が汚れる心配がなくなる。また、水受け皿１４の形状や大きさ等は、鉢本体１１の形状や大きさ等に合わせて適宜選択される。
【００３５】
図２は、本考案の他の実施形態にかかる植木鉢２の構成を模式的に示した縦断面図である。植木鉢２は、鉢本体２１と水受け皿２４とを螺合させて鉢本体２１に着脱自在に取り付けられる構成にした以外は、図１に示す植木鉢１と同様である。したがって、ここでは水受け皿２４およびそれに関連する事項について説明し、その他の部材についての説明は省略する。
【００３６】
本考案にかかる水受け皿２４は、水受け皿２４に貯水されている余剰水２５によって、中空部２１１や内部の乾燥を防ぐために、鉢本体２１の底部に水受け皿２４を螺合させることにより、鉢本体２１に着脱自在に取り付けられている。ただし、水受け皿２４と底部とを嵌合させることにより取り付ける構造であってもよい。このような水受け皿２４を設置することで、例えば、定期的に水やりができなくなった等の問題を、適量の水を水受け皿２４に入れておくだけで解決することができる。また、鉢本体２１と水受け皿２４とによって形成される密閉空間により、水の蒸発を防ぐこともできる。なお、水受け皿２４の形状や大きさ等は適宜選択される。
【００３７】
水受け皿２４には、排水孔２４２が、水受け皿２４の内外部を連通して設けられている。この排水孔２４２は、水受け皿２４の余剰水２５が一定量に達した場合に、鉢本体２１の外部に排出させるためのものである。ただし、排水孔２４２の位置や数は、特に限定されるものではない。また、排水孔２４２にはフィルタを設置することができ、フィルタの形状や大きさ等は適宜選択される。さらに、排水孔２４２には、排水孔２４２を閉塞させるキャップを設置することもできる。例えば、長期間自宅を留守にするような時に、キャップを用いて排水孔２４２を閉塞し、水を縁まで満たした水受け皿２４を鉢本体２１に取り付けておけば、中空部２１１や内部の乾燥を防ぐことができる。
【００３８】
図３は、本考案の他の実施形態にかかる植木鉢３の構成を模式的に示した縦断面図である。植木鉢３は、蓋部３３が鉢本体３１の上部に設置される構成にした以外は、図１に示す植木鉢１と同様である。したがって、ここでは蓋部３３およびそれに関連する事項について説明し、その他の部材についての説明は省略する。
【００３９】
本考案にかかる蓋部３３は、図１の蓋部１３と同様にして、開口部３１０に嵌合させることにより、鉢本体３１に着脱自在に取り付けられている。ただし、蓋部３３は、螺合されて取り付けられてもよいし、複数設けられてもよい。また、余剰水を外部に排出させるための排水孔３１９は、中空部３１１と外部とを連通して底部３１３に設けられている。この場合、排水孔３１９の位置、数、形状等は、特に限定されるものではない。また、排水孔３１９には、フィルタを設置することができ、フィルタの形状や大きさ等は適宜選択される。
【００４０】
本考案にかかる植木鉢３は、上述したとおり、開口部３１０が鉢本体３１の上部に設けられているので、内部に土を入れた後であっても、充填材等を補充したり、交換したりすることができる。なお、ドーナツ状に開口部３１０を設けた場合には、中空部３１１を維持するために、鉢本体３１の内部に支柱が設けられてもよい。ただし、複数の開口部３１０を設けた場合には、支柱は不要である。
【００４１】
次に、本考案の実施形態にかかる植木鉢１の使用方法について説明する。図１に示す本考案の植木鉢１は、蓋部１３および水受け皿１４を鉢本体１１から取り外して鉢本体１１の中空部１１１に所定の充填材を充填し、蓋部１３および水受け皿１４を鉢本体１１に取り付けた後、通常の植木鉢と同様にして使用することができる。なお、上述した本考案の他の実施形態である植木鉢２（図２参照）および植木鉢３（図３参照）についても、同様にして使用することができる。
【００４２】
まず、鉢本体１１に灌水すると、土壌で吸収しきれなかった水分等が、内部から流水孔１１５を通って中空部１１１へ流入し、充填材に吸収される。充填材でも吸収しきれなかった水分等は、中空部１１１から排水孔１３２を通って水受け皿１４内に流出して貯留される。土壌の乾燥にともなって、充填材に吸収されていた水分等が蒸発し、流水孔１１５から土壌中に進入し、土壌中の水分等が適度な値に保たれる。同時に、水受け皿１４内の貯留水が蒸発し、排水孔１３２から中空部１１１に流入し、充填材に吸収される。
【００４３】
すなわち、土壌に充填材から流水孔１１５を通って水分等が供給されるとともに、充填材には水受け皿１４から排水孔１３２を通って貯留水が供給されるので、一度の灌水で土壌中の水分等を長時間適度な値に保つことができる。このため、灌水の頻度が少なくなり、肥料使用量の低減に役立つ。なお、雨水による多量の灌水があった場合には、水受け皿１４に溜まった水分等は一定量を超えると、水受け皿１４から溢れ出ることになる。また、図２に示す植木鉢２については、水受け皿２４に溜まった水分等は一定量を超えると、排水孔２４２から流出される。
【００４４】
なお、本考案の植木鉢は、上記の実施の形態に限定されるものではなく、本考案の要旨を逸脱しない範囲内において種々変更を加え得ることは勿論である。
【実施例】
【００４５】
［比較例１］従来の植木鉢を用いた夏すみれの育成試験
【００４６】
図４に示した従来の植木鉢４を用い、以下の手順で夏すみれの育成試験を行った。なお、夏すみれの苗および夏すみれ用の園芸用土（例えば、赤玉土：腐葉土：粉状パーライト＝６：３：１の割合で混ぜたもの）として市販品を用いた。まず、植木鉢４に園芸用土を入れて夏すみれの苗を植え、次いで、園芸用土の表面が湿る程度に水を与えて屋外に置いて育成状態を観察した。観察の際には写真撮影を行い、その結果を図５に示した。図５に示すとおり、一部の花や葉は枯れており、夏すみれの育成状態は不良であった。
【００４７】
［実施例１］本考案を用いた夏すみれの育成試験
【００４８】
図１に示した本考案の植木鉢１を用い、比較例１と同様の手順で同時期に夏すみれの育成試験を行った。ただし、植木鉢１の中空部１１１に充填する充填材として市販品の水苔を用い、夏すみれの苗および園芸用土として比較例１と同時期に購入したものを用いた。また、比較例１と同様にして、育成状態の観察および写真撮影を行い、結果を図６に示した。図６に示すとおり、比較例１と比較して、花や葉が生い茂り、夏すみれの育成状態は良好であった。
【００４９】
比較例１および実施例１においては、１０月下旬に写真撮影を行っており、一般的な夏すみれの開花時期（６〜９月）から外れている。したがって、比較例１および実施例１の結果より、本考案の植木鉢１は、開花時期から外れた場合であっても、植物を育成できることが示唆された。
【００５０】
［比較例２］充填材なしの本考案を用いたネモフィラの育成試験
【００５１】
実施例１と同様の植木鉢１を用い、以下の手順でネモフィラの育成試験を行った。ただし、植木鉢１には充填材を充填しなかった。また、ネモフィラの株およびネモフィラ用の園芸用土（例えば、赤玉土：腐葉土＝６：４の割合で混ぜたもの）として市販品を用いた。まず、充填材なしの植木鉢１に園芸用土を入れてネモフィラの株の植え替えを行い、次いで、園芸用土の表面が湿る程度に水を与えて屋外（ベランダ）に置いて育成状態を観察した。観察の際には写真撮影を行い、その結果を図７に示した。図７に示すとおり、殆どのネモフィラは枯れており、育成状態は不良であった。
【００５２】
［実施例２］本考案を用いたネモフィラの育成試験（１）
【００５３】
実施例１と同様の植木鉢１を用い、比較例２と同様の手順で同時期にネモフィラの育成試験を行った。ただし、ネモフィラの株および園芸用土として、比較例２と同時期に購入したものを用いた。また、比較例２と同様にして、育成状態の観察および写真撮影を行い、その結果を図８に示した。図８に示すとおり、比較例２のネモフィラと比較して、葉や花が生い茂り、育成状態も良好であった。
【００５４】
［実施例３］本考案を用いたネモフィラの育成試験（２）
【００５５】
実施例１と同様の植木鉢１を用い、比較例２と同様の手順で同時期にネモフィラの育成試験を行った。ただし、植木鉢１の中空部１１１に充填する充填材として市販品のバーミキュライトを用い、ネモフィラの株および園芸用土として比較例２と同時期に購入したものを用いた。また、比較例２と同様にして、育成状態の観察および写真撮影を行い、その結果を図９に示した。図９に示すとおり、比較例２のネモフィラと比較して、葉や花が生い茂り、育成状態も良好であった。また、実施例２のネモフィラと同様の育成状態であった。
【００５６】
比較例１、実施例２および実施例３においては、４月下旬に写真撮影を行っており、一般的なネモフィラの開花時期（４〜５月）である。したがって、比較例１、実施例２および実施例３の結果より、本考案の植木鉢１は、充填材を用いる必要があり、また、充填材として、水苔の他にバーミキュライトも適用できることがわかった。
【００５７】
［実施例４］本考案を用いた木立性ベゴニアの育成試験
【００５８】
実施例１と同様の植木鉢１を用い、以下の手順で木立性ベゴニアの育成試験を行った。なお、木立性ベゴニアの株および木立性ベゴニア用の園芸用土（例えば、赤玉土（小粒）：ピートモスまたは腐葉土：バーミキュライト：鹿沼土＝３：３：３：１の割合で混ぜたもの）として市販品を用いた。まず、植木鉢１に園芸用土を入れて木立性ベゴニアの植え替えを行い、次いで、園芸用土の表面が湿る程度に水を与えて屋外に置いて育成状態を観察した。観察の際には写真撮影を行い、その結果を図１０に示した。図１０に示すとおり、葉や花が生い茂り、育成状態も良好であった。
【００５９】
実施例４においては、１０月下旬に写真撮影を行った。この時期は、一般的な木立性ベゴニアの屋内育成時期（１〜４月および１０〜１２月）であるにもかかわらず、屋外で育成を行っても育成状態は良好であった。したがって、比較例１、実施例１および実施例４の結果より、本考案の植木鉢１は、従来の植木鉢４と比較して保温効果に優れているので、保温処置を施さなくても耐寒性の低い植物を育成できることが示唆された。
【００６０】
［実施例５］本考案を用いたシクラメンの育成試験
【００６１】
実施例１と同様の植木鉢１を用い、以下の手順でシクラメンの育成試験を行った。なお、シクラメンの株およびシクラメン用の園芸用土（例えば、赤玉土：腐葉土：粉状パーライト＝６：３：１の割合で混ぜたもの）として市販品を用いた。まず、植木鉢１に園芸用土を入れてシクラメンの株の植え替えを行い、次いで、園芸用土の表面が湿る程度に水を与えて屋内に置いて育成状態を観察した。その結果、このシクラメンは、一般的なシクラメンよりも花が大きく、株の数は３倍程度であった。
【００６２】
したがって、実施例１、実施例４および実施例５の結果より、本考案の植木鉢１は、従来の植木鉢４と比較して保温効果に優れているので、栄養補給等の処置を施さなくても植物の育成を助長できることが示唆された。
【００６３】
［実施例６］本考案を用いた水仙の育成試験
【００６４】
実施例１と同様の植木鉢１を用い、以下の手順で水仙の育成試験を行った。なお、水仙の球根および水仙用の園芸用土（例えば、赤玉土（小粒）：腐葉土＝７：３の割合で混ぜたもの）として市販品を用いた。まず、植木鉢１に園芸用土を入れて水仙の球根を植え、次いで、園芸用土の表面が湿る程度に水を与えて屋外に置いて育成状態を観察した。観察の際には写真撮影も行い、その結果を図１１に示した。図１１に示すとおり、植木鉢１に植えた水仙の球根は開花し、育成状態も良好であった。
【００６５】
実施例６においては、４月まで一度も灌水することなく放置していたが、一般的な水仙と同様に開花した。したがって、実施例６の結果より、本考案の植木鉢１は、常に水分で満たされた状態を嫌う球根類の育成にも適用できることがわかった。
【００６６】
［実施例７］本考案を用いたアジアンタムの育成試験
【００６７】
実施例１と同様の植木鉢１の切断面が四角形である植木鉢を用い、以下の手順でアジアンタムの育成試験を行った。ただし、上記植木鉢の中空部に充填する充填材として、市販品の水苔を用い、アジアンタムの株およびアジアンタム用の園芸用土（例えば、赤玉土（小粒）：腐葉土：川砂＝５：３：２の割合で混ぜたもの）として、市販品を用いた。まず、植木鉢に園芸用土を入れてアジアンタムの植え替えを行い、次いで、園芸用土の表面が湿る程度に水を与えて屋外に置いて育成状態を観察した。その結果、このアジアンタムは８ヶ月間枯れず、育成状態も良好であった。
【００６８】
［実施例８］本考案を用いたクジャクサボテンの育成試験
【００６９】
実施例７と同様の植木鉢を用い、以下の手順でクジャクサボテンの育成試験を行った。なお、クジャクサボテンの株およびクジャクサボテン用の園芸用土（例えば、赤玉土（中粒）：腐葉土：堆肥＝５：３：２の割合で混ぜたもの）として市販品を用いた。まず、植木鉢１に園芸用土を入れてクジャクサボテンの植え替えを行い、次いで、園芸用土の表面が湿る程度に水を与えて屋外に置いて育成状態を観察した。その結果、このクジャクサボテンは８ヶ月間枯れず、育成状態も良好であった。
【００７０】
［実施例９］本考案を用いたユキノシタの育成試験
【００７１】
実施例７と同様の植木鉢を用い、以下の手順でユキノシタの育成試験を行った。なお、ユキノシタの株およびユキノシタ用の園芸用土（例えば、赤玉土：鹿沼土：腐葉土：川砂＝５：２：２：１の割合で混ぜたもの）として市販品を用いた。まず、植木鉢１に園芸用土を入れてユキノシタの植え替えを行い、次いで、園芸用土の表面が湿る程度に水を与えて屋外に置いて育成状態を観察した。その結果、このユキノシタは８ヶ月間枯れず、育成状態も良好であった。
【００７２】
［実施例１０］本考案を用いたヒバの育成試験
【００７３】
実施例７と同様の植木鉢を用い、以下の手順でヒバの育成試験を行った。なお、ヒバの株およびヒバ用の園芸用土（例えば、赤玉土：腐葉土：軽石（小粒）＝６：３：１の割合で混ぜたもの）として市販品を用いた。まず、植木鉢１に園芸用土を入れてヒバの植え替えを行い、次いで、園芸用土の表面が湿る程度に水を与えて屋外に置いて育成状態を観察した。その結果、このヒバは８ヶ月間枯れず、育成状態も良好であった。
【００７４】
したがって、実施例７〜１０の結果より、植木鉢１の形状を変えたとしても、本考案の効果は保持されることがわかった。
【００７５】
［比較例３］充填材なしの本考案を用いたラナンキュラスの育成試験
【００７６】
実施例１と同様の植木鉢１を用い、以下の手順でラナンキュラスの育成試験を行った。ただし、植木鉢１には充填材を充填しなかった。また、ラナンキュラスの株およびラナンキュラス用の園芸用土（例えば、赤玉土（小粒）：腐葉土：バーミキュライト＝５：４：１の割合で混ぜたもの）として市販品を用いた。まず、充填材なしの植木鉢１に園芸用土を入れてラナンキュラスの球根を植え、次いで、十分に水を与えて屋外（ベランダ）に置いて育成状態を観察した。観察の際には写真撮影を行い、その結果を図１２に示した。図１２に示すとおり、一部のラナンキュラスは枯れており、育成状態は不良であった。また、写真撮影を行った際に、外温および植木鉢１の内部の温度をそれぞれ測定したところ、２２℃および２７℃であった。
【００７７】
［実施例１１］本考案を用いたラナンキュラスの育成試験（１）
【００７８】
実施例１と同様の植木鉢１を用い、比較例３と同様の手順で同時期にラナンキュラスの育成試験を行った。ただし、ラナンキュラスの株および園芸用土は、比較例３と同時期に購入したものを用いた。また、比較例３と同様にして育成状態の観察および写真撮影を行い、その結果を図１３に示した。図１３に示すとおり、比較例３のラナンキュラスと比較して、葉や花が生い茂り、育成状態も良好であった。また、比較例３と同様にして、植木鉢１の内部の温度を測定したところ、２２℃であった。
【００７９】
［実施例１２］本考案を用いたラナンキュラスの育成試験（２）
【００８０】
実施例１と同様の植木鉢１を用い、比較例３と同様の手順で同時期にラナンキュラスの育成試験を行った。ただし、植木鉢１の充填材として、市販品のバーミキュライトを用い、ラナンキュラスの株および園芸用土として、比較例３と同時期に購入したものを用いた。また、比較例３と同様にして育成状態の観察および写真撮影を行い、その結果を図１４に示した。図１４に示すとおり、比較例３のラナンキュラスと比較して、葉や花が生い茂り、育成状態も良好であり、また、実施例１１のラナンキュラスと同様の育成状態であった。また、比較例３と同様にして、植木鉢１の内部の温度を測定したところ、２２℃であった。
【００８１】
［実施例１３］本考案を用いたラナンキュラスの育成試験（３）
【００８２】
実施例１と同様の植木鉢１を用い、比較例３と同様の手順で同時期にラナンキュラスの育成試験を行った。ただし、植木鉢１の充填材として、市販品のピートモスを用い、ラナンキュラスの株および園芸用土として、比較例３と同時期に購入したものを用いた。比較例３と同様にして、育成状態の観察および写真撮影を行い、その結果を図１５に示した。図１５に示すとおり、比較例３のラナンキュラスと比較して、葉や花が生い茂り、育成状態も良好であり、また、実施例１１および１２のラナンキュラスと同様の育成状態であった。また、比較例３と同様にして、植木鉢１の内部の温度を測定したところ、１９℃であった。
【００８３】
比較例３、実施例１１〜１３においては、４月上旬に写真撮影を行っており、一般的なラナンキュラスの開花時期（４〜５月）である。したがって、比較例３、実施例１１〜１３の結果より、本考案の植木鉢１は、充填材を充填しないと断熱効果が得られず、また、充填材として、水苔の他にバーミキュライトやピートモスも適用できることがわかった。
【産業上の利用可能性】
【００８４】
本考案は、鉢本体と、前記鉢本体の少なくとも一部に設けられた中空部と、前記中空部を前記鉢本体の外部に開口させる開口部と、前記開口部に嵌合される蓋部と、前記中空部と前記鉢本体の内部とを連通して設けられた流水孔と、を有する植木鉢である。このような構成にすることによって、簡易な構成であっても保温性を保つことができ、かつ植物の育成を促進させることができる。よって、本考案の植木鉢は、園芸用、観賞用、販売用等の植木鉢として、極めて有用である。
【図面の簡単な説明】
【００８５】
【図１】本考案の実施形態にかかる植木鉢１の構成を模式的に示した縦断面図である。
【図２】本考案の他の実施形態にかかる植木鉢２の構成を模式的に示した縦断面図である。
【図３】本考案の他の実施形態にかかる植木鉢３の構成を模式的に示した縦断面図である。
【図４】従来の植木鉢４の構成を模式的に示した縦断面図である。
【図５】植木鉢４を用いて育成した夏すみれを観察し、写真撮影を行った結果を示した図である（比較例１）。
【図６】水苔を充填した植木鉢１を用いて育成した夏すみれを観察し、写真撮影を行った結果を示した図である（実施例１）。
【図７】充填材なしの植木鉢１を用いて育成したネモフィラを観察し、写真撮影を行った結果を示した図である（比較例２）。
【図８】水苔を充填した植木鉢１を用いて育成したネモフィラを観察し、写真撮影を行った結果を示した図である（実施例２）。
【図９】バーミキュライトを充填した植木鉢１を用いて育成したネモフィラを観察し、写真撮影を行った結果を示した図である（実施例３）。
【図１０】水苔を充填した植木鉢１を用いて育成した木立性ベゴニアを観察し、写真撮影を行った結果を示した図である（実施例４）。
【図１１】水苔を充填した植木鉢１を用いて育成した水仙を観察し、写真撮影を行った結果を示した図である（実施例６）。
【図１２】充填材なしの植木鉢１を用いて育成したラナンキュラスを観察し、写真撮影を行った結果を示した図である（比較例３）。
【図１３】水苔を充填した植木鉢１を用いて育成したラナンキュラスを観察し、写真撮影を行った結果を示した図である（実施例１１）。
【図１４】バーミキュライトを充填した植木鉢１を用いて育成したラナンキュラスを観察し、写真撮影を行った結果を示した図である（実施例１２）。
【図１５】ピートモスを充填した植木鉢１を用いて育成したラナンキュラスを観察し、写真撮影を行った結果を示した図である（実施例１３）。
【符号の説明】
【００８６】
１，２，３，４・・・植木鉢
１１，２１，３１，４１・・・鉢本体
１１０，３１０・・・開口部
１１１，２１１，３１１・・・中空部
１１５・・・流水孔
１３２，２４２，３１９，４１９・・・排水孔
１３，３３・・・蓋部
１４，２４・・・水受け皿
２５・・・余剰水
【図１】
0003142952.tif 000003
【図２】
0003142952.tif 000004
【図３】
0003142952.tif 000005
【図４】
0003142952.tif 000006
【図５】
0003142952.tif 000007
【図６】
0003142952.tif 000008
【図７】
0003142952.tif 000009
【図８】
0003142952.tif 000010
【図９】
0003142952.tif 000011
【図１０】
0003142952.tif 000012
【図１１】
0003142952.tif 000013
【図１２】
0003142952.tif 000014
【図１３】
0003142952.tif 000015
【図１４】
0003142952.tif 000016
【図１５】
0003142952.tif 000017